(57)【要約】【課題】簡易な構造であって平坦状に折畳み可能な折畳み椅子、及び狭い場所に収納し易く、且つ取り出し易い折畳み椅子を提供する。【解決手段】本発明の折畳み椅子１０は、左右一対の第１のフレーム２１と、当該第１のフレームに回動可能に連結された左右一対の第２のフレーム２３と、前記第１のフレーム、又は前記第２のフレームに回動可能に連結された座板１２と、前記座板を下方から支持する座板支持体１７と、前記第１のフレーム、又は前記第２のフレームに架け渡されるようにして取り付けられた連結体と、を備え、前記座板支持体は、一端が前記座板又は連結体に回動可能に連結され、他端が前記連結体又は座板に着脱可能に取り付けられる。【選択図】図１
2013154043.tif 000002
【特許請求の範囲】
【請求項１】
左右一対の第１のフレームと、
当該第１のフレームに回動可能に連結された左右一対の第２のフレームと、
前記第１のフレーム、又は前記第２のフレームに回動可能に連結された座板と、
前記座板を下方から支持する座板支持体と、
前記第１のフレーム、又は前記第２のフレームに架け渡されるようにして取り付けられた連結体と、を備え、
前記座板支持体は、一端が前記座板又は連結体に回動可能に連結され、他端が前記連結体又は座板に着脱可能に取り付けられることを特徴とする折畳み椅子。
【請求項２】
前記連結体には、前記座板支持体の他端を挿入可能であって貫通して形成される孔部が形成されていることを特徴とする請求項１に記載の折畳み椅子。
【請求項３】
前記座板の上方であって、前記第１のフレーム又は前記第２のフレームには、利用者の背を支持する支持体が架け渡されるようにして取り付けられていることを特徴とする請求項１、又は請求項２に記載の折畳み椅子。
【請求項４】
前記座板支持体、前記座板、及び前記第２のフレームを折り畳むことによって平坦状に形成されることを特徴とする請求項１〜３のいずれか一項に記載の折畳み椅子。
【発明の詳細な説明】
【技術分野】
【０００１】
本発明は、折畳み椅子に関し、特に、サーバーラックに有する隙間に収納可能な折畳み椅子に関する。
【背景技術】
【０００２】
一般に知られている折畳み椅子６０は、図６に示すように、利用者が着座するための座板６１と、この座板６１を支持する支持脚６２と、を備えている。
【０００３】
支持脚６２は、前方フレーム６３と後方フレーム６４とを備えている。前方フレーム６３は、逆「Ｕ」字状に形成され、この上端部に背板６５が取り付けられており、後方フレーム６４は、「Ｈ」状に形成され、当該前方フレーム６３の中間上部に後方下方へと延びるようにして回動可能に連結されている。
【０００４】
座板６１は、後方が後方フレーム６４の上部に回動自在に軸支され、その前方部が左右一対の前方フレーム６３から内側に突出するピン６６を座板６１に形成されている長孔６７に係合させて水平状態に保たれる。
【０００５】
このように構成された折畳み椅子６０は、座板６１を上側に回動させることで、後方フレーム６４が前方フレーム６３の後側に重なり合うように回動し、折り畳むことが可能である。
【０００６】
一方、サーバーラックは、サーバーとして機能するコンピュータ等の電子機器を収納するものである。このようなサーバーラックはラックフレームを有し、このラックフレームに、例えば、平坦状に形成された水平板を取り付けることによって領域を区分することができる。このようなサーバーラックは、室内に複数組み合わされて配置されており、このような室内の作業では、上述した折畳み椅子を用いて行われる。
【０００７】
一般に知られている折畳み椅子は、その全体形状が湾曲して形成されており、サーバーラックに収容しにくく、通常は室内の適当な場所に保管されている。よって、折畳み椅子を用いる場合には、その折畳み椅子が保管されている場所まで取りに行く必要がある。
【０００８】
なお、平坦状に折畳み可能な折畳み椅子であれば、収納し易く便利であり、このような折畳み椅子は従来から存在する（例えば、特許文献１参照）。
【先行技術文献】
【特許文献】
【０００９】
【特許文献１】特許第３６９２３０３号公報
【発明の概要】
【発明が解決しようとする課題】
【００１０】
一般的に知られている従来の折畳み椅子は、後方部でのみ座板を支持するため、座板が変形し易いという問題がある。
【００１１】
また、特許文献１に示す折畳み椅子は、構造が複雑となり製造コストが嵩むという問題と、収納部にぴったりと収まった場合に取り出しにくいという問題がある。
【００１２】
そこで、本発明は上記問題を課題の一例として為されたもので、その第１の目的は、簡易な構造であって平坦状に折畳み可能な折畳み椅子を提供することであり、第２の目的は、狭い場所に収納し易く、且つ取り出し易い折畳み椅子を提供することである。
【課題を解決するための手段】
【００１３】
上記課題を解決するために、請求項１に記載の折畳み椅子（１０）は、左右一対の第１のフレーム（２１）と、当該第１のフレームに回動可能に連結された左右一対の第２のフレーム（２３）と、前記第１のフレーム、又は前記第２のフレームに回動可能に連結された座板（１２）と、前記座板を下方から支持する座板支持体（１７）と、前記第１のフレーム、又は前記第２のフレームに架け渡されるようにして取り付けられた連結体と、を備え、前記座板支持体は、一端が前記座板又は連結体に回動可能に連結され、他端が前記連結体又は座板に着脱可能に取り付けられることを特徴とする。
【００１４】
また、請求項２に記載の折畳み椅子は、請求項１に記載の折畳み椅子において、前記連結体には、前記座板支持体の他端を挿入可能であって貫通して形成される孔部（２５）が形成されていることを特徴とする。
【００１５】
また、請求項３に記載の折畳み椅子は、請求項１、又は請求項２に記載の折畳み椅子において、前記座板の上方であって、前記第１のフレーム又は前記第２のフレームには、利用者の背を支持する支持体が架け渡されるようにして取り付けられていることを特徴とする。
【００１６】
また、請求項４に記載の折畳み椅子は、請求項１〜３のいずれか一項に記載の折畳み椅子において、前記座板支持体、座板、第２のフレームを折り畳むことによって平坦状に形成されることを特徴とする。
【発明の効果】
【００１７】
本発明によれば、前後で座板を支持するので、バランスよく座板を支持可能なため、簡易な構造ながら耐久性を容易に向上させることができる。また、支持脚の内側に座板を折り畳み可能なため、平坦状に折り畳むことができる。さらに、取っ手が設けられているため狭い場所であっても取り出し易い。
【図面の簡単な説明】
【００１８】
【図１】折畳み椅子の外観を示す斜視図である。
【図２】折畳み椅子を折り畳んだ状態を示す外観図である。
【図３】図１のＸ部分拡大図である。
【図４】第２の実施形態における折畳み椅子の外観図であり、図４（ａ）は側面図、図４（ｂ）は正面図である。
【図５】第３の実施形態における折畳み椅子の外観図であり、図５（ａ）は側面図、図５（ｂ）は正面図である。
【図６】従来の折畳み椅子の外観例を示す斜視図である。
【発明を実施するための形態】
【００１９】
以下、本願の最良の実施形態について添付図面を参照して説明する。なお、便宜的に図１において、左方向から視認して、奥行、上下、及び左右方向を、折畳み椅子の前後、上下、及び左右方向として説明する。
【００２０】
―第１の実施形態―
本実施形態の折畳み椅子１０は、図１に示すように、利用者が着座するための平板状の座板１２と、この座板１２の後方を支持する支持脚１５と、座板１２と支持脚１５の間に配置されて座板１２の前方を下方から支持する座板支持体１７と、を備えており、図２に示すように、側面視において平坦状に折り畳むことが可能になっている。
【００２１】
支持脚１５は、垂直に立設して配置される左右一対のベース体２１（本願の第１のフレーム）と、当該ベース体２１に対して下方が前方に傾斜して配置される左右一対の傾斜体２３（本願の第２のフレーム）と、を備え、この傾斜体２３は、ベース体２１に支軸５０を介して回動自在に連結されている。図３に示すように、この支軸５０は、傾斜体２３の側面から外側に突出して設けられており、この支軸５０がベース体２１の横長に形成された貫通孔５１に係合して取り付けられている。そして、支持脚１５を折畳んだ時とベース体２１に対して傾斜体２３を傾斜させた時において、前記支軸５０は貫通孔５１の内部を左右に移動する。本実施形態では、この貫通孔５１と支軸５０により、ベース体２１に対する傾斜体２３の回動範囲が規制される。
【００２２】
ベース体２１は、左右両側に平行に配置される角筒状のフレーム２１ａを有し、この両方のフレーム２１ａの上端は架け渡されるように連結されて略コ字状に形成されている。
【００２３】
一方、傾斜体２３は、左右両側に平行に配置される角筒状のフレーム２３ａを有し、この両方のフレーム２３ａの下端は架け渡されるように連結されて略コ字状に形成されている。また、傾斜体２３の下端中央部には略矩形状であって左右方向に延びるようにして上下方向に貫通して形成された孔部２５が形成されている。この孔部２５には座板支持体１７が着脱可能に挿入されるが、ユーザが椅子を持ち運ぶ際に用いる取っ手としても機能する。また、この孔部２５に座板支持体１７が差し込まれることにより、座板１２は当該座板支持体１７により下方から支持され、水平状態を保つようにしてその位置が規制される。
【００２４】
座板１２は、略矩形状であって、その両側が下方に折り曲げられ、その幅方向（左右方向）における断面形状が略コ字状に形成されている。座板１２の後方は前記傾斜体２３に支軸を介して回動自在に取り付けられている。また、座板１２の前方部底面には座板支持体１７が支軸を介して下方向に回動自在に折り畳まれるようにして取り付けられており、当該座板支持体１７を回動して開放端部１７ａが傾斜体２３の孔部２５に固定されることで座板１２が水平状態を保つようにして支持される。
【００２５】
座板支持体１７は、薄板状であって、その開放端部１７ａの幅が狭く形成されており、傾斜体２３の孔部２５に挿入し易くなっている。また、この開放端部１７ａには、部材を波型に変形させることで一方の面に突出する突出部１８が形成されており、この突出部１８が孔部２５に係合することで孔部２５から抜けにくくなっている。
【００２６】
このように構成された折り畳み椅子１０は、ベース体２１を立設させた状態で、傾斜体２３の下端部を前方へと引き出し、座板１２の前方部を上方へと持ち上げた状態で、座板支持体１７の下端部（開放端部１７ａ）を下方へと引き出して、開放端部１７ａを傾斜体２３の孔部２５に挿入することで椅子として用いられる。
【００２７】
一方で、当該折畳み椅子１０は、座板支持体１７の開放端部１７ａを傾斜体２３の孔部２５から取り外して、当該座板支持体１７を座板１２の底面に沿うように回動させるとともに、座板１２及び傾斜体２３をベース体２１に沿うように回動させることで、側面視において、平坦状（直線状）に折り畳むことが可能である。
【００２８】
また、ベース体２１の上端部は、幅方向を横切るようにして架け渡されているため、このベース体２１のフレーム２１ａは、ユーザの背を保持する背もたれとして機能する。なお、このフレーム２１ａの前面にクッション材を設けるようにしても構わない。
【００２９】
以上に説明したように、本実施形態の折畳み椅子は、折り畳まれた状態から椅子として機能するように組み立てることが簡単にできる。一方で、椅子として組み立てられた状態から、簡単に折り畳むことが可能である。
【００３０】
また、図２に示すように、折畳み椅子１０が折り畳まれた状態において、ベース体１２と傾斜体２３の縦幅は同じ長さであって、座板１２の上面は、ベース体１２又は傾斜体２３の上面と平坦状になるように形成される。さらに、座板支持体１７は、薄板状に形成されており、前記ベース体１２又は傾斜体２３の縦幅よりも内側に配置されるように形成される。
【００３１】
このように構成された折畳み椅子１０は、折り畳まれた状態において、全体が略平坦状に形成される。よって、狭い隙間にすっきりと収めることができ、見栄えがよい。また、床面に対して座板の面が接触するように配置することで、面接触により床面に対してずれにくく載置しておくことが可能である。さらに、狭い隙間に収納後、取り出す時は、傾斜体２３の孔部２５を取っ手として用いることができるので、取り出し易く持ち運び等においても作業性が良い。
【００３２】
―第２の実施形態―
以下、図４を参照して、他の実施形態の折畳み椅子３０について説明する。なお、図１乃至図３と同一の機能を有する部材には同一の符号を付するものとし、その説明は省略するものとする。
【００３３】
本実施形態の折畳み椅子３０の特徴となるべき点は、第１の実施形態と比較して、形状を簡易化した点である。
【００３４】
具体的には、本実施形態の折畳み椅子３０は、ベース体３１は一端が連結されずに平行に配置される一対のフレーム３１ａのみで構成されており、傾斜体２３が支軸５０を介して当該ベース体３１の外側に回動可能に連結される。また、座板１２も当該支軸５０を介して傾斜体２３の内側に回動可能に連結される。
【００３５】
なお、ベース体３１を構成する両側のフレーム３１ａが別体であると、椅子として組み立てる際の作業性が悪いため、２つのフレーム３１ａは、例えば、中央部で薄板状の連結部材３３により連結されることが好ましい。これにより、折畳み椅子３０を折り畳む際の作業性が良好となり、更には、折畳み椅子３０を折り畳んだ際には、当該連結部材３３により座板１２の回動を規制することができ、折り畳んだ状態を保持することが容易である。
【００３６】
以上に説明したように、本実施形態の折畳み椅子３０によれば、ベース体３１の形状を簡略化することで部品の製造コストを削減することができるとともに、コンパクト化を図れる。また、連結部材３３により折畳み状態を保持し易くなるため、折畳み椅子３０を折り畳んだ状態で持ち運ぶ際の操作性の向上が図れる。さらに、ベース体３１、傾斜体２３、座板１２を同軸で連結することにより製造工程の簡略化が図れるとともに製造コストの削減を図れる。
【００３７】
―第３の実施形態―
以下、図５を参照して、他の実施形態の折畳み椅子４０について説明する。なお、図４と同一の機能を有する部材には同一の符号を付するものとし、その説明は省略するものとする。
【００３８】
本実施形態の折畳み椅子４０の特徴となるべき点は、第２の実施形態と比較して、傾斜体４３に利用者の背もたれ機能をもたせた点である。
【００３９】
具体的には、本実施形態の折畳み椅子４０は、ベース体３１は一端が連結されずに平行に配置される一対のフレーム３１ａで構成されており、傾斜体４３が支軸を介して当該ベース体３１の内側に回動可能に連結される。
【００４０】
また、傾斜体４３は、左右両側に平行に配置される角筒状のフレーム４３ａを有し、この両方のフレーム４３ａの両端部は架け渡されるように連結されて略口字状に形成されている。また、座板１２の後方部は、傾斜体４３に対して、略中央部において支軸５３を介して回動可能に取り付けられている。
【００４１】
また、傾斜体４３の上端部及び下端部の中央部には、取っ手として機能する貫通孔２５、２５が形成されている。第１及び第２の実施形態に示す折畳み椅子１０、３０では、当該貫通孔２５は傾斜体２３の下端部のみに形成されていたが、本実施形態の折畳み椅子４０では、傾斜体４３の上下両端部に貫通孔２５が形成されているので、取り出し方向（上下方向）を意識して収納する必要がなくなり便利である。
【００４２】
なお、本実施形態の折畳み椅子４０は、ベース体３１の内側に傾斜体４３が配置されているため、折畳み椅子４０を折り畳んだ際には、連結部材３３により座板１２及び傾斜体４３の回動を規制することができ、第２の実施形態と比較して更に折り畳んだ状態を保持することが容易である。
【００４３】
以上に説明したように、本実施形態の折畳み椅子４０によれば、折り畳まれた状態から椅子として機能するように組み立てることが簡単にできる。一方で、椅子として組み立てられた状態から、簡単に折り畳むことが可能である。また、連結部材３３により折畳み状態を保持し易くなるため、折畳み椅子４０を折り畳んだ状態で持ち運ぶ際の操作性の向上が図れる。
【００４４】
また、本実施形態では、例えば、第１の実施形態で説明したように、孔部２５を取っ手としても機能させるために傾斜体２３の下端部を連結する構造となっているが、取っ手の機能を除けば、対向して両側に配置される傾斜体２３のフレーム２３ａを架け渡すように連結体を設け、この連結体に座板支持体１７が係合する係合部を設け、連結体に座板支持体１７が係合するようにしても構わない。また、第１の実施形態では、座板１２の前方底面に支軸を介して座板支持体１７を回動可能に設けているが、連結体に座板支持体１７を回動可能に設けても構わない。この場合には、座板１２の前方底面に当該座板支持体１７の上端部を係合させるための係合部を設ける必要がある。
【００４５】
なお、本願は本実施形態に限定されるものではなく、種々の形態にて実施することが可能である。例えば、各実施形態を適宜組み合わせた形態とすることが可能である。
【符号の説明】
【００４６】
１０  折畳み椅子
１２  座板
１７  座板支持体
２１  ベース体
２３  傾斜体
２５  孔部
【図１】
2013154043.tif 000003
【図２】
2013154043.tif 000004
【図３】
2013154043.tif 000005
【図４】
2013154043.tif 000006
【図５】
2013154043.tif 000007
【図６】
2013154043.tif 000008